(57)【要約】      （修正有）【課題】分電盤に配設されるブレーカーを覆うブレーカーカバーであり、過負荷時や短絡時において、過電流が流れると自動的に回路を遮断するブレーカーの薄型化されたブレーカーカバーを提供する。【解決手段】ブレーカーカバー１であって、ブレーカー本体Ａの上方に突出しブレーカーの開閉と共に枢動する操作ハンドルＢと、該操作ハンドルＢを枢動可能にかつ覆うように設置されたブレーカーカバー１とから成り、ブレーカーカバー１の上面に長穴形状又は矩形状の逃がし穴２を穿設し、操作ハンドルＢの頂部が開閉時に枢動する円弧状の軌道の高位置が逃がし穴２を通過させると共に、低位置ではブレーカーカバー１の上面より下方に位置させたことを特徴とするものである。【選択図】図１
0003174228.tif 000002
【実用新案登録請求の範囲】
【請求項１】
ブレーカーカバーであって、ブレーカー本体の上方に突出しブレーカーの開閉と共に枢動する操作ハンドルと、該操作ハンドルを枢動可能に且つ覆うように設置されたブレーカーカバーと、から成り、前記ブレーカーカバーの上面に長穴形状又は矩形状の逃がし穴を穿設し、前記操作ハンドルの頂部が開閉時に枢動する円弧状の軌道の高位置が前記逃がし穴を通過させると共に、低位置では前記ブレーカーカバーの上面より下方に位置させたことを特徴とする薄型化されたブレーカーカバー。
【考案の詳細な説明】
【技術分野】
【０００１】
本考案は、薄型化されたブレーカーカバーに関するものであり、更に詳細には、分電盤に配設されるブレーカーを覆うブレーカーカバーであり、過負荷時や短絡時において、過電流が流れると自動的に回路を遮断するブレーカーの薄型化されたブレーカーカバーに関するものである。
【背景技術】
【０００２】
この種のブレーカーには何種類かの動作原理があるが、その動作後に動作前の状態に復旧させるために操作ハンドルを備えているものであるが、通常時に誤って操作ハンドルに接触して回路を遮断されないようにブレーカーカバーがされているものである。
【０００３】
然し乍ら、ブレーカーカバーは単にブレーカーの上を覆っているだけであり、ブレーカーカバーは必要であるが、そのスペースはデッドスペースに近いものであり、その為に、例えば、先に開示されている、スイッチの操作部１０を取り囲むスイッチカバー前面部分１ｂの高さＨを、スイッチカバー１を壁面３０に取り付けた状態で、スイッチ操作部の高さｈより高くしたもの（特許文献１参照）や、画像形成装置の本体１の所定の位置に設けたスイッチパネル２には、電源スイッチ装置３を設けており、前記スイッチ装置３をカバーするように、カバー部材５ａを設けている。前記カバー部材５ａはヒンジ６を介して開閉可能で、スイッチ装置のオン側に対応する開口部７を設け、前記カバー部材５ａを閉じた状態でも、スイッチ装置３のオン側４のみに手を触れ得るようにし、オフ４ａには間違って手を触れないように構成しているもの（特許文献２参照）や、仕様形態２は、カバー４の開口４１にリミッターカバー４２、主幹ブレーカカバー４３および分岐ブレーカカバー４４を取付ける。さらに、分岐ブレーカカバー４４と隣接するようにブランクカバー４５を設ける。本実施形態によれば、入れ子を用いて分岐ブレーカカバー４４を成形する必要がないので、製造コストを低下させることができ、かつ、大きさが異なる複数種の分岐ブレーカカバーを有しておく必要がないので、在庫の管理を容易とすることができるもの（特許文献３参照）がある。
【特許文献１】実用新案登録第３１３２９２１号公報
【特許文献２】特開２００２−２４５８８４号公報
【特許文献３】特開２００３−２７４５１９号公報
【考案の開示】
【考案が解決しようとする課題】
【０００４】
然し乍ら、特許文献１のものは、タンブラースイッチの上面にスイッチ挿入穴１ａを有したスイッチカバー本体１を取り付けただけのものであり、スイッチを衝撃等の破損から保護するもので、スイッチカバー本体１の厚みのスペースは必要とするものであり、特許文献２のものは、スイッチ装置３のオン側４のみに手が触れられるようにしているもので操作を束縛するだけのものであり、特許文献３のものは、分電盤用のカバーであるが、省スペースの記載はないものである。
【課題を解決するための手段】
【０００５】
本考案は前記課題に鑑み、鋭意研鑽の結果、これらの課題を解決するもので、ブレーカー本体の上方に突出しブレーカーの開閉と共に枢動する操作ハンドルと、操作ハンドルを枢動可能に且つ覆うように設置されたブレーカーカバーと、から成り、ブレーカーカバーの上面に長穴形状又は矩形状の逃がし穴を穿設し、操作ハンドルの頂部が開閉時に枢動する円弧状の軌道の高位置が前記逃がし穴を通過させると共に、低位置ではブレーカーカバーの上面より下方に位置させたものである。
【考案の効果】
【０００６】
本考案の薄型化されたブレーカーカバーは、ブレーカー本体から上方に突出しブレーカーの開閉と共に枢動する操作ハンドルと、操作ハンドルを枢動可能に且つ覆うように設置されたブレーカーカバーと、から成り、ブレーカーカバーの上面に長穴形状又は矩形状の逃がし穴を穿設し、操作ハンドルの頂部が開閉時に枢動する円弧状の軌道の高位置が逃がし穴を通過させると共に、低位置ではブレーカーカバーの上面より下方に位置させたものであるので、ブレーカーカバーの薄型化が計れ、デッドスペースの減少に繋がるもので、画期的で実用性の高い有効な考案である。
【考案を実施するための最良の形態】
【０００７】
以下、本考案の薄型化されたブレーカーカバーの実施の形態を図面によって具体的に説明すると、図１は本考案の薄型化されたブレーカーカバーの実施例の正面図であり、図２は本考案の薄型化されたブレーカーカバーの実施例の平面図である。
【０００８】
本考案は、薄型化されたブレーカーカバーに関するものであり、更に詳細には、分電盤に配設されるブレーカーを覆うブレーカーカバーであり、過負荷時や短絡時において、過電流が流れると自動的に回路を遮断するブレーカーの薄型化されたブレーカーカバーに関するものであり、ブレーカーカバー１であって、ブレーカー本体Ａの上方に突出しブレーカーの開閉と共に枢動する操作ハンドルＢと、該操作ハンドルＢを枢動可能に且つ覆うように設置されたブレーカーカバー１と、から成り、前記ブレーカーカバー１の上面に長穴形状又は矩形状の逃がし穴２を穿設し、前記操作ハンドルＢの頂部が開閉時に枢動する円弧状の軌道の高位置が前記逃がし穴２を通過させると共に、低位置では前記ブレーカーカバー１の上面より下方に位置させたことを特徴とするものである。
【実施例】
【０００９】
即ち、本考案の薄型化されたブレーカーカバーは、図１及び図２に図示するもので、ブレーカー本体Ａは分電盤に配設され、保護や誤作動の防止のためにブレーカーカバー１で覆っているものである。
【００１０】
そして、操作ハンドルＢは、ブレーカー本体Ａの上方に突出してブレーカーの開閉と共に枢動するのであり、過電流等で回路を遮断する場合は自動的に枢動してＯＦＦに成るような構造としており、ＯＮにする時は手動により元の状態に戻す構造としているものである。
【００１１】
次に、ブレーカーカバー１は、ブレーカー本体Ａに突出した操作ハンドルＢを覆っているものであるが、いかなる状態においてもブレーカーカバー１と操作ハンドルＢとは接触し無い構成で、且つ、操作ハンドルＢは枢動可能と成るようにしているもので、覆った状態で中の操作ハンドルＢの状態が目視できるように、透明の合成樹脂で形成されているものである。
【００１２】
次いで、逃がし穴２は、ブレーカーカバー１の上面に長穴形状又は矩形状に穿設したものであり、その巾は操作ハンドルＢの巾より僅かに大きくしているものである。
【００１３】
更に、操作ハンドルＢが開閉時に枢動する時、操作ハンドルＢの頂部は円弧状の軌道を描き、その高位置で逃がし穴２を通過させると共に、円弧状の軌道の低位置ではブレーカーカバー１の上面より下方に位置させたものである。
【００１４】
つまり、操作ハンドルＢの先端が枢動時に一番高位置では逃がし穴２を通過させることにより、ブレーカーカバー１の厚みを薄くすることができ、更には、円弧状の軌道の低位置ではブレーカーカバー１の上面より下方に位置させているもので、接触による誤作動等は防ぐことができるものである。
【産業上の利用可能性】
【００１５】
本考案は、ブレーカー本体から上方に突出しブレーカーの開閉と共に枢動する操作ハンドルと、操作ハンドルを枢動可能に且つ覆うように設置されたブレーカーカバーと、から成り、ブレーカーカバーの上面に長穴形状又は矩形状の逃がし穴を穿設し、操作ハンドルの頂部が開閉時に枢動する円弧状の軌道の高位置が逃がし穴を通過させると共に、低位置ではブレーカーカバーの上面より下方に位置させたものであるので、ブレーカーカバーの薄型化が計れ、デッドスペースの減少に繋がるの薄型化されたブレーカーカバーの提供するものである。
【図面の簡単な説明】
【００１６】
【図１】図１は本考案の薄型化されたブレーカーカバーの実施例の正面図である。
【図２】図２は本考案の薄型化されたブレーカーカバーの実施例の平面図である。
【符号の説明】
【００１７】
Ａ      ブレーカー本体
Ｂ      操作ハンドル
１      ブレーカーカバー
２      逃がし穴
【図１】
0003174228.tif 000003
【図２】
0003174228.tif 000004